(57)【要約】【課題】着用者にとって快適な環境を効率よく提供する。【解決手段】衣服９は、少なくとも裏地１と、複数の流路２とを有する。流路２はいずれも、内側に設けられた内布と、外側に設けられた外布を有し、内布と外布とを重ねて、いずれかの縁部を接着することにより形成される。流路２ａは、着用者の腰に配置された吸入口２０ａから空気を取り込み、その空気を着用者の首の近くに配置され、着用者の胴回り方向に沿って帯状に開口した排出口２９ａへと誘導して排出する。流路２ｂは、着用者の腰に配置された吸入口２０ｂから空気を取り込み、その空気を着用者の背の中央に配置され、着用者の胴回り方向（図１、２における左右の方向）に沿って帯状に開口した排出口２９ｂへと誘導して排出する。なお、排出口２９ａが設けられた首、及び排出口２９ｂが設けられた背は、いずれも吸入口２０ａ及び吸入口２０ｂが設けられた腰よりも上にある。【選択図】図１
2019070215.tif 000002
【特許請求の範囲】
【請求項１】
気体を送出する送出部、及び
内部にペルチェ素子が設けられ、送出された前記気体を開口まで導く導風部、
を有する装置、並びに
前記開口に接続される吸入口と、排出口とが設けられ、前記気体を前記吸入口から吸入して前記排出口から排出する流路が形成された衣服、
を備えることを特徴とする機能服。
【請求項２】
前記流路は、複数形成されている
ことを特徴とする請求項１に記載の機能服。
【請求項３】
前記吸入口及び前記排出口は、前記流路ごとに１つずつ設けられている
ことを特徴とする請求項１又は２に記載の機能服。
【請求項４】
前記ペルチェ素子は、前記導風部の前記内部を、異なる金属面がそれぞれ面した２つの空間に分割し、
前記開口は、分割された前記空間のそれぞれに少なくとも１つ設けられる
ことを特徴とする請求項１から３のいずれか１項に記載の機能服。
【請求項５】
前記送出部は、羽根車を有する遠心式送風機であり、
前記ペルチェ素子の面は、前記羽根車の軸方向に交差している
ことを特徴とする請求項１から４のいずれか１項に記載の機能服。
【請求項６】
裏地と、
前記裏地に沿って設けられ、吸入口から吸入した気体を排出口から排出する複数の流路と、
を有し、
前記吸入口は、着用者の腰に配置され、
前記排出口は、前記吸入口よりも上に配置され、前記着用者の胴回り方向に沿って帯状に開口する
ことを特徴とする衣服。
【請求項７】
前記排出口は、少なくとも前記着用者の首及び背のそれぞれに配置される
ことを特徴とする請求項６に記載の衣服。
【請求項８】
前記流路は、前記吸入口から前記排出口に向かって幅が広がる部分を有する
ことを特徴とする請求項６又は７に記載の衣服。
【請求項９】
前記排出口は、前記着用者に沿って配置される第１縁部と、該着用者から見て前記第１縁部を隔てた外側に配置される第２縁部と、を有し、
前記第１縁部は、前記流路の中央に近づくほど前記吸入口に近づく凹部を有する
ことを特徴とする請求項６から８のいずれか１項に記載の衣服。
【請求項１０】
前記吸入口及び前記排出口は、前記流路ごとに１つずつ設けられている
ことを特徴とする請求項６から９のいずれか１項に記載の衣服。
【請求項１１】
前記流路は、重ねられた布の辺縁を接着して設けられる
ことを特徴とする請求項６から１０のいずれか１項に記載の衣服。
【請求項１２】
前記吸入口を外部に露出させるための穴が設けられた表地を有する
ことを特徴とする請求項６から１１のいずれか１項に記載の衣服。
【請求項１３】
気体を送出する送出部と、
内部にペルチェ素子が設けられ、送出された前記気体を開口まで導く導風部と、
を有し、
前記ペルチェ素子は、前記導風部の前記内部を、異なる金属面がそれぞれ面した２つの空間に分割し、
前記開口は、分割された前記空間のそれぞれに少なくとも１つ設けられ、少なくとも一方が請求項６から１２のいずれか１項に記載の衣服が有する複数の前記流路の前記吸入口に接続される
ことを特徴とする送出装置。
【請求項１４】
前記送出部は、羽根車を有する遠心式送風機であり、
前記ペルチェ素子の面は、前記羽根車の軸方向に交差している
ことを特徴とする請求項１３に記載の送出装置。
【請求項１５】
前記開口は、前記ペルチェ素子の面に沿って並べられている
ことを特徴とする請求項１４に記載の送出装置。
【発明の詳細な説明】
【技術分野】
【０００１】
本発明は、機能服、衣服、及び送出装置に関する。
【背景技術】
【０００２】
衣服に覆われる内部空間の温度や湿度等を調整し、着用者にとって快適な環境を提供する工夫が重ねられている。
【０００３】
特許文献１には、ペルチェ素子を用いた冷暖房服が開示されている。
特許文献２には、内装体と後身頃に包囲された領域に、送風装置から送出されたエアが送出される内部空間部を形成した作業上着が開示されている。
【先行技術文献】
【特許文献】
【０００４】
【特許文献１】特開２００４−２６３３２５号公報
【特許文献２】特開２０１６−２３３７８号公報
【発明の概要】
【発明が解決しようとする課題】
【０００５】
特許文献１の技術は、ペルチェ素子による伝導伝熱で着用者の周囲の温度を調節するものであり、送風を伴わないため湿度が調整できない。また、特許文献１の技術は対流伝熱を用いないため、温度の調整にも制約がある。
【０００６】
特許文献２の技術は、袋状の内部空間部にエアを送出させてその内部の温度を調節するものである。しかし、着用者が暑さや寒さを感じ易い部位を集中して換気するといった構成を有していないため、着用者が快適さを感じるための効率が悪い。また、特許文献２の技術では、流入口と排出口とがいずれも内部空間部に直結しているので、エアの流れをコントロールできないという問題があるほか、内部空間部に一定量のエアが滞留すると四肢の可動域を狭めることになるため、着用者が動き難くなるという問題も生じる。
【０００７】
本発明は、着用者にとって快適な環境を効率よく提供することを目的とする。
【課題を解決するための手段】
【０００８】
本発明の請求項１に係る機能服は、気体を送出する送出部、及び内部にペルチェ素子が設けられ、送出された前記気体を開口まで導く導風部、を有する装置、並びに前記開口に接続される吸入口と、排出口とが設けられ、前記気体を前記吸入口から吸入して前記排出口から排出する流路が形成された衣服、を備えることを特徴とする機能服である。
【０００９】
本発明の請求項２に係る機能服は、請求項１に記載の態様において、前記流路は、複数形成されていることを特徴とする機能服である。
【００１０】
本発明の請求項３に係る機能服は、請求項１又は２に記載の態様において、前記吸入口及び前記排出口は、前記流路ごとに１つずつ設けられていることを特徴とする機能服である。
【００１１】
本発明の請求項４に係る機能服は、請求項１から３のいずれか１項に記載の態様において、前記ペルチェ素子は、前記導風部の前記内部を、異なる金属面がそれぞれ面した２つの空間に分割し、前記開口は、分割された前記空間のそれぞれに少なくとも１つ設けられることを特徴とする機能服である。
【００１２】
本発明の請求項５に係る機能服は、請求項１から４のいずれか１項に記載の態様において、前記送出部は、羽根車を有する遠心式送風機であり、前記ペルチェ素子の面は、前記羽根車の軸方向に交差していることを特徴とする機能服である。
【００１３】
本発明の請求項６に係る衣服は、裏地と、前記裏地に沿って設けられ、吸入口から吸入した気体を排出口から排出する複数の流路と、を有し、前記吸入口は、着用者の腰に配置され、前記排出口は、前記吸入口よりも上に配置され、前記着用者の胴回り方向に沿って帯状に開口することを特徴とする衣服である。
【００１４】
本発明の請求項７に係る衣服は、請求項６に記載の態様において、前記排出口は、少なくとも前記着用者の首及び背のそれぞれに配置されることを特徴とする衣服である。
【００１５】
本発明の請求項８に係る衣服は、請求項６又は７に記載の態様において、前記流路は、前記吸入口から前記排出口に向かって幅が広がる部分を有することを特徴とする衣服である。
【００１６】
本発明の請求項９に係る衣服は、請求項６から８のいずれか１項に記載の態様において、前記排出口は、前記着用者に沿って配置される第１縁部と、該着用者から見て前記第１縁部を隔てた外側に配置される第２縁部と、を有し、前記第１縁部は、前記流路の中央に近づくほど前記吸入口に近づく凹部を有することを特徴とする衣服である。
【００１７】
本発明の請求項１０に係る衣服は、請求項６から９のいずれか１項に記載の態様において、前記吸入口及び前記排出口は、前記流路ごとに１つずつ設けられていることを特徴とする衣服である。
【００１８】
本発明の請求項１１に係る衣服は、請求項６から１０のいずれか１項に記載の態様において、前記流路は、重ねられた布の辺縁を接着して設けられることを特徴とする衣服である。
【００１９】
本発明の請求項１２に係る衣服は、請求項６から１１のいずれか１項に記載の態様において、前記吸入口を外部に露出させるための穴が設けられた表地を有することを特徴とする衣服である。
【００２０】
本発明の請求項１３に係る送出装置は、気体を送出する送出部と、内部にペルチェ素子が設けられ、送出された前記気体を開口まで導く導風部と、を有し、前記ペルチェ素子は、前記導風部の前記内部を、異なる金属面がそれぞれ面した２つの空間に分割し、前記開口は、分割された前記空間のそれぞれに少なくとも１つ設けられ、少なくとも一方が請求項６から１２のいずれか１項に記載の衣服が有する複数の前記流路の前記吸入口に接続されることを特徴とする送出装置である。
【００２１】
本発明の請求項１４に係る送出装置は、請求項１３に記載の態様において、前記送出部は、羽根車を有する遠心式送風機であり、前記ペルチェ素子の面は、前記羽根車の軸方向に交差していることを特徴とする送出装置である。
【００２２】
本発明の請求項１５に係る送出装置は、請求項１４に記載の態様において、前記開口は、前記ペルチェ素子の面に沿って並べられていることを特徴とする送出装置である。
【発明の効果】
【００２３】
請求項１に係る発明によれば、内部にペルチェ素子が設けられた導風部により開口に導かれた気体が流路に送出されて、着用者にとって快適な環境が提供される。
【００２４】
請求項２に係る発明によれば、複数の流路に沿った着用者の部位の温度等がそれぞれ調整される。
【００２５】
請求項３に係る発明によれば、吸入口から排出口までの気体の流れに偏りが生じ難い。
【００２６】
請求項４に係る発明によれば、ペルチェ素子の少なくとも一方の金属面に触れた気体によって、着用者にとって快適な環境が提供される。
【００２７】
請求項５に係る発明によれば、この構成を有しない場合に比べて、分割された２つの空間に送出される気体の量が偏り難い。
【００２８】
請求項６に係る発明によれば、着用者の腰に配置された吸入口から吸入した気体が、吸入口より上で着用者の胴回り方向に沿って帯状に開口した排出口から排出されて、着用者にとって快適な環境が提供される。
【００２９】
請求項７に係る発明によれば、着用者が温度等を感じ易い部位である首及び背のそれぞれに気体が排出される。
【００３０】
請求項８に係る発明によれば、吸入口から排出口に向かって幅が広がる部分を有しない流路を用いる場合に比べて、気体の排出の抵抗が下がる。
【００３１】
請求項９に係る発明によれば、第１縁部が凹部を有しない場合に比べて、気体の排出の抵抗が下がる。
【００３２】
請求項１０に係る発明によれば、分岐による気体の流れの偏りが生じない。
【００３３】
請求項１１に係る発明によれば、この構成を有しない場合に比べて流路の形成が容易になる。
【００３４】
請求項１２に係る発明によれば、吸入口に気体を吸入させるための装置を衣服の外部に配置することができる。
【００３５】
請求項１３に係る発明によれば、温度が調節された気体が衣服に送出される。
【００３６】
請求項１４に係る発明によれば、この構成を有しない場合に比べて、分割された２つの空間に送出される気体の量が偏り難い。
【００３７】
請求項１５に係る発明によれば、この構成を有しない場合に比べて、コンパクトになる。
【図面の簡単な説明】
【００３８】
【図１】本実施形態に係る衣服９の例を示す図。
【図２】図１と異なる方向から見た衣服９を示す図。
【図３】裏地１の構成の一例を示す図。
【図４】着用者の首に空気を誘導する流路２ａの分解図。
【図５】空気を流して膨らんでいる流路２ａの状態を示した概略図。
【図６】着用者の背に空気を誘導する流路２ｂの分解図。
【図７】送出装置４の外観の一例を示す図。
【図８】送出装置４の分解図。
【図９】送出装置４の内部構造を説明するための図。
【図１０】表地３の一例を示す図。
【発明を実施するための形態】
【００３９】
＜実施形態＞
＜衣服の構成＞
以下の説明で「内側」とは、着用者の身体に近い側であり、「外側」とは、着用者の身体から遠い側である。
【００４０】
図１は、本実施形態に係る衣服９の例を示す図である。図１には、衣服９のうち着用者の背面を覆う部分を内側から見た形状が示されている。したがって、例えば図１の右側は着用者の左手の側である。
【００４１】
図２は、図１と異なる方向から見た衣服９を示す図である。図２には、図１に示す部分を外側から見た形状が示されている。したがって、例えば図２の右側は着用者の右手の側である。
【００４２】
図１及び図２に示す通り、衣服９は、少なくとも裏地１と、複数の流路２とを有する。流路２はいずれも、内側に設けられた内布と、外側に設けられた外布を有し、内布と外布とを重ねて、いずれかの縁部を接着することにより形成される。
【００４３】
図１に示す例で、複数の流路２は、着用者の首に空気を誘導する流路２ａ、及び、着用者の背に空気を誘導する流路２ｂの２本である。流路２ｂは、流路２ａよりも短い。
【００４４】
なお、図１に示す流路２の内部を通過する気体はいずれも空気であるが、本発明の流路を通過する気体は、空気以外であってもよい。この気体は、例えば窒素、ヘリウム等の単一気体であっても、空気、呼気、燃焼ガス等の混合気体であってもよい。
【００４５】
図１及び図２に示す通り、流路２ｂは裏地１の外側に重ねて設けられ、流路２ａは流路２ｂのさらに外側に重ねて設けられる。
【００４６】
流路２ａは、着用者の腰に配置された吸入口２０ａから空気を取り込み、その空気を排出口２９ａへと誘導してこの排出口２９ａから排出する。排出口２９ａは、着用者の首の近くに配置され、着用者の胴回り方向（図１、２における左右の方向）に沿って帯状に開口している。
【００４７】
流路２ｂは、着用者の腰に配置された吸入口２０ｂから空気を取り込み、その空気を排出口２９ｂへと誘導してこの排出口２９ｂから排出する。排出口２９ｂは、着用者の背の中央に配置され、着用者の胴回り方向に沿って帯状に開口している。
【００４８】
なお、排出口２９ａが設けられた首、及び排出口２９ｂが設けられた背は、いずれも吸入口２０ａ及び吸入口２０ｂ（以下、これらを区別しない場合、単に「吸入口２０」という）が設けられた腰よりも上にある。したがって、この衣服９は、裏地１と、裏地１に沿って設けられ吸入口２０ａ、２０ｂから吸入した空気を排出口２９ａ、２９ｂ（以下、これらを区別しない場合、単に「排出口２９」という）から排出する複数の流路２と、を有し、吸入口２０は、着用者の腰に配置され、排出口２９は、吸入口２０よりも上に配置され、着用者の胴回り方向に沿って帯状に開口することを特徴とする衣服の一例である。
【００４９】
また、図１、２に示す流路２ａには、吸入口２０ａ及び排出口２９ａが１つずつ設けられ、流路２ｂには、吸入口２０ｂ及び排出口２９ｂが１つずつ設けられている。つまり、流路２はいずれも吸入から排出まで分岐していない。このため、例えば流路２にかかる外圧等によって空気が流れる方向がいずれかの分岐先に偏ることがない。
【００５０】
＜裏地の構成＞
図３は、裏地１の構成の一例を示す図である。図３には、流路２が設けられる前の裏地１を外側から見た形状が示されている。裏地１は、上部裏地１１、下部裏地１２、及び中央裏地１３を有する。
【００５１】
上部裏地１１は、着用者の背面の上部を覆う布であり、着用者の肩甲骨及び両肩にかかる範囲に広がった形状を有する。
【００５２】
下部裏地１２は、着用者の背面の下部を覆う布であり、着用者の腰にかかる範囲に広がった形状を有する。
【００５３】
中央裏地１３は、上述した上部裏地１１と下部裏地１２とを接続する布であり、着用者の背の中央部から左右に広がった形状を有する。
【００５４】
上部裏地１１及び下部裏地１２の素材には、例えば、ナイロン等の合成樹脂が用いられる。中央裏地１３の素材には、流路２ｂの排出口２９ｂに異物が入り難くなるように、例えば、メッシュ状のポリエステル等の合成樹脂が用いられる。
【００５５】
なお、上部裏地１１の上方にも、流路２ａの排出口２９ａに異物が入り難くなるように、メッシュ状の合成樹脂で形成されたあて布が縫合されてもよい。
【００５６】
図３に示した上部裏地１１の領域Ｒａは、流路２ａの一部として用いられる。また、図３に示した下部裏地１２の領域Ｒｂは、流路２ｂの一部として用いられる。
【００５７】
＜流路の構成＞
＜首に空気を誘導する流路の構成＞
図４は、着用者の首に空気を誘導する流路２ａの分解図である。図４に示す流路２ａは、上部裏地１１の領域Ｒａに、内布２１ａ、及び外布２２ａを組合せて形成される。また図４に示す通り、流路２ａは、面ファスナー２３ａを有してもよい。
【００５８】
内布２１ａは着用者の背面の下部を覆う布であり、着用者の背骨にほぼ沿って腰まで伸びる形状を有する。内布２１ａは、上部裏地１１の下辺のうち、領域Ｒａの縁である接続部１１１に接着されて、上部裏地１１とともに１枚の布を構成する。
【００５９】
外布２２ａは、着用者の背面を、上部裏地１１及び内布２１ａの外側から覆う布であり、着用者の背骨にほぼ沿って、首から腰まで伸びる形状を有する。
【００６０】
上部裏地１１と内布２１ａとで構成される１枚の布の外側から、外布２２ａが重ねられ、その布に対して外布２２ａの辺縁が接着されることで、裏地１に沿って流路２ａが形成される。
【００６１】
内布と外布とは、例えば、縫合した上からテープを貼付することによって接着される。内布及び外布は、例えば素材がナイロンやポリエステル等の化学繊維であり、表面にポリウレタン等の樹脂がコーティングされている。これらの布の縫合部分には、シームテープが接着される。これにより縫合部の穴が塞がれて気密性が高まるので、流路２ａの吸入口２０ａから吸入された空気は、途中で漏れ難く、排出口２９ａまで導かれ易くなる。
【００６２】
シームテープの素材は、ポリテトラフルオロエチレンやポリウレタン、ゴム等が挙げられる。シームテープは布と重ねて加熱・加圧され、それぞれにコーティングされた樹脂等が融解することで、互いに接着されてもよい。これにより接着部分の気密性が向上する。
【００６３】
上部裏地１１のうち、排出口２９ａを形成する縁部１１９には、中央に近づくほど吸入口２０ａに近づく凹部を有する。この凹部は排出口２９ａを構成する外布２２ａの縁部２２９ａにはない。なお、縁部１１９は、本発明における第１縁部の一例であり、縁部２２９ａは、本発明における第２縁部の一例である。
【００６４】
図５は、空気を流して膨らんでいる流路２ａの状態を示した概略図である。図５に示す左方向が内側、右方向が外側である。
【００６５】
縁部１１９が、上述した凹部を有しているため、空気を流して膨らんだ流路２ａの排出口２９ａは、図５において二点鎖線で示す凹部を持たない場合の排出口に比べて内側に傾斜した形状となる。したがって、凹部を持たない場合に比べて流路２ａの排出口２９ａは、断面積が広く、空気の排出にかかる抵抗が低い。また、凹部を持たない場合に比べて流路２ａの排出口２９ａは、空気を外側よりも内側に流し易い。
【００６６】
また、図４に破線の矢印で示した通り外布２２ａは、吸入口２０ａから排出口２９ａに向かって幅が広がる部分を有する。この幅が広がる部分は、流路２ａにおいて、下流に進むほど断面積が広がる部分を形成し、空気が通過するときの抵抗を他の部分よりも下げる。したがって、この幅が広がる部分を有することで、流路２ａは、空気を排出口２９ａへ排出させ易くなっている。
【００６７】
面ファスナー２３ａは、流路２ａの吸入口２０ａに縫合等によって固定されており、後述する送出装置４の開口４３０の周りに巻きつけて、その裏面と表面とを接着することで開口４３０と吸入口２０ａとを接続する。
【００６８】
＜背に空気を誘導する流路の構成＞
図６は、着用者の背に空気を誘導する流路２ｂの分解図である。図６に示す流路２ｂは、下部裏地１２の領域Ｒｂに、内布２１ｂ、及び外布２２ｂを組合せて形成される。
【００６９】
また図６に示す通り、流路２ｂは、面ファスナー２３ｂを有してもよい。面ファスナー２３ｂは、流路２ｂの吸入口２０ｂに縫合等によって固定されており、上述した面ファスナー２３ａと同様に機能する。
【００７０】
内布２１ｂは着用者の背面の下部を覆う布であり、着用者の背骨にほぼ沿って腰まで伸びる形状を有する。内布２１ｂは、下部裏地１２のうち、領域Ｒｂの下方の縁である接続部１２１に接着されて、下部裏地１２とともに１枚の布を構成する。
【００７１】
外布２２ｂは、着用者の背面を、下部裏地１２及び内布２１ｂの外側から覆う布であり、着用者の背骨にほぼ沿って、首から腰まで伸びる形状を有する。
【００７２】
下部裏地１２と内布２１ｂとで構成される１枚の布の外側から、外布２２ｂが重ねられ、その布に対して外布２２ｂの辺縁が接着されることで、裏地１に沿って流路２ｂが形成される。この接着には、流路２ａと同様のシームテープ等が用いられる。
【００７３】
＜送出装置の構成＞
図７は、送出装置４の外観の一例を示す図である。以下、図において、各構成が配置される空間をｘｙｚ右手系座標空間として表す。また、図に示す座標記号のうち、円の中に交差する２本の線を描いた記号は、紙面手前側から奥側に向かう矢印を表す。空間においてｘ軸に沿う方向をｘ軸方向という。また、ｘ軸方向のうち、ｘ成分が増加する方向を＋ｘ方向といい、ｘ成分が減少する方向を−ｘ方向という。ｙ、ｚ成分についても、この定義に沿ってｙ軸方向、＋ｙ方向、−ｙ方向、ｚ軸方向、＋ｚ方向、−ｚ方向を定義する。
【００７４】
図７に示す通り、送出装置４は、２つの開口４３０ａ、４３０ｂ（以下、これらを区別しない場合には「開口４３０」という）、及び１つの開口４３１を有する。開口４３０、及び開口４３１からは、空気が送出される。送出装置４は、送出部４０と導風部４９とを有する。送出部４０と導風部４９とは、分離可能にそれぞれ構成されたものであってもよいし、一体に成形されたものであってもよい。
【００７５】
図８は、送出装置４の分解図である。また、図９は、送出装置４の内部構造を説明するための図である。図８及び図９に示す送出装置４は、送出部４０と導風部４９とが分離可能に構成されたものである。
【００７６】
送出部４０は、ｚ軸方向に沿った図示しない回転軸と、この回転軸を中心に回転する図示しない羽根車とを内部に有する。送出部４０は、羽根車を回転させることで、例えば多翼ファン、シロッコファン、ターボファン等のように、回転軸に沿って空気を吸引し、遠心方向に排出する遠心式送風機である。以下の説明で、送出部４０は、羽根車の回転軸に対して略垂直な遠心方向に空気を送出する遠心式送風機である。なお、本発明において送出部が送出する気体は空気に限られない。
【００７７】
導風部４９は、内部にペルチェ素子が設けられ、送出部４０から送出された空気を開口まで導く。図８に示す導風部４９は、ディフューザー４１、筒４２、及びマニホールド４３を有する。
【００７８】
ディフューザー４１は、送出部４０の送出口に接続して送出される空気の流れを拡散する。また、拡散した空気が流れる下流側には、筒４２が把持される。
【００７９】
筒４２は、例えばステンレス等で成形された角型の筒であり、ディフューザー４１とマニホールド４３とを繋いだ空間に把持される。筒４２の内部の空間には、ペルチェ素子４２０が例えば枠や溝等によって固定される。このペルチェ素子４２０により、筒４２の中空は、異なる金属面がそれぞれ面した２つの空間に分割される。
【００８０】
ペルチェ素子４２０は、その金属面がｚ軸方向に交差、より好ましくは直交するように固定されることが望ましい。図９に示す通り、ペルチェ素子４２０の法線がｚ軸方向に沿っている場合、ペルチェ素子４２０の２つの金属面はいずれもｚ軸と直交している。
【００８１】
この構成によれば、送出部４０の羽根車から、ペルチェ素子４２０によって分割される２つの空間までの距離がほぼ等しくなるため、それぞれの空間を通過する空気の流れに偏りが生じ難くなる。
【００８２】
マニホールド４３は、筒４２の下流側に設けられ、ペルチェ素子４２０によって分割された２つの空間を通過した空気をそれぞれ開口４３０及び開口４３１に誘導する。なお、ペルチェ素子４２０の２つの金属面には、各空間を通過する空気と熱交換をするためのヒートシンクがそれぞれ設けられていてもよい。
【００８３】
開口４３０は、開口４３０ａ及び開口４３０ｂに分岐しており、それぞれから空気が送出される。２本の開口４３０は、いずれも＋ｙ方向に向いている。例えば、開口４３０ａは流路２ａの吸入口２０ａに接続され、開口４３０ｂは流路２ｂの吸入口２０ｂに接続される。
【００８４】
筒４２の内部で分割された空間は、ペルチェ素子４２０と熱を遣り取りする必要があるため、ペルチェ素子４２０の金属面からなるべく離れないようにｚ軸方向の厚みが短く、ｘ軸方向の幅が長くなるように設計されることが望ましい。
【００８５】
図９に示す開口４３０ａと開口４３０ｂは、ｘ軸方向に沿って並べられているため、ペルチェ素子４２０の面に沿っている。ペルチェ素子４２０によって分割された２つの空間が、上述した通りｚ軸方向の厚みが短くｘ軸方向の幅が長くなるように設計されている場合、開口４３０ａと開口４３０ｂとがｘ軸方向に沿って並べられることで、上述した空間の形状に沿って２つの開口４３０が並ぶこととなる。この構成によれば、送出装置４が全体としてコンパクトになる。
【００８６】
開口４３１は、いずれの流路２とも接続されておらず、外部に空気を排出する。図９に示す開口４３１は、＋ｚ方向に空気を排出する。
【００８７】
この構成により、例えば、ｚ軸方向に法線が向くように配置されたペルチェ素子４２０の＋ｚ方向の金属面が放熱面となり、−ｚ方向の金属面が吸熱面となるように、ペルチェ素子４２０に電気を供給すると、放熱面によって暖められた空気が開口４３１に導かれて外部に排出され、吸熱面によって冷やされた空気が開口４３０に導かれて流路２に吸入される。この場合、流路２の排出口２９からは冷気が排出されるため、着用者は涼しさを感じる。
【００８８】
なお、ペルチェ素子４２０に供給する電気の正負を逆にすれば放熱面と吸熱面とが入れ替わる。したがって、着用者に暖かさを感じさせるためには、ペルチェ素子４２０に供給する電気の正負を上述の逆にすればよい。
【００８９】
＜表地の構成＞
図１０は、表地３の一例を示す図である。図１０に示す通り、表地３には、吸入口２０を外部に露出させるための穴３０が設けられている。この構成により、例えば、表地３の裾３１を下衣、すなわち、いわゆるボトムスの内側に収容させても、外部から吸入口２０に空気を吸入させることが可能となる。
【００９０】
＜変形例＞
以上が実施形態の説明であるが、この実施形態の内容は以下のように変形し得る。また、以下の変形例を組合せてもよい。
【００９１】
＜変形例１＞
上述した実施形態において、排出口２９は、それぞれ首及び背のそれぞれに配置されていたが、これに限られない。例えば、排出口は首又は背のいずれか一方に配置されていてもよく、また、腋の下等、他の部位に配置されてもよい。
【００９２】
＜変形例２＞
上述した実施形態において、流路２ａには、吸入口２０ａから排出口２９ａに向かって幅が広がる部分を有していたが、この部分を有していなくてもよい。また、流路２ｂに、吸入口２０ｂから排出口２９ｂに向かって幅が広がる部分が設けられていてもよい。
【００９３】
＜変形例３＞
上述した実施形態において、縁部１１９には、中央に近づくほど吸入口２０ａに近づく凹部を有していたが、この凹部を有していなくてもよい。
【００９４】
＜変形例４＞
上述した実施形態において、流路２はいずれも吸入から排出まで分岐していないが、流路２の少なくともいずれか一方が分岐してもよい。分岐点の下流にある複数の流路には、例えば外側からその断面積を絞る機構がそれぞれ設けられていてもよい。この構成では、流れる空気の量に偏りが生じたときに、空気が多く流れる方の流路を狭めるように絞ればよい。
【００９５】
＜変形例５＞
上述した実施形態において、上部裏地１１と内布２１ａとで構成される内布に対して外布２２ａの辺縁が接着されることで、裏地１に沿って流路２ａが形成され、また、下部裏地１２と内布２１ｂとで構成される内布に対して外布２２ｂの辺縁が接着されることで、裏地１に沿って流路２ｂが形成されていたが、流路２が形成される態様はこれに限られない。例えば、予め管状に編み上げられた布で流路２が形成されてもよいし、１枚の布の両端を接着して流路２が形成されてもよい。
【００９６】
＜変形例６＞
上述した実施形態において、表地３には、吸入口２０を外部に露出させるための穴３０が設けられていたが、穴３０が設けられていなくてもよい。この場合、表地３の内側に送出装置４を配置すればよい。
【００９７】
＜変形例７＞
上述した実施形態において、ペルチェ素子４２０により、筒４２の中空は、異なる金属面がそれぞれ面した２つの空間に分割されていたが、分割される空間の数は２つに限られない。例えば、２枚のペルチェ素子を交差するように配置して、空間を４つに分割してもよい。また、２枚のペルチェ素子を平行に配置して、空間を３つに分割してもよい。３つに分割された空気は、低温、中間温、高温にそれぞれ調整される。
【００９８】
また、上述した実施形態において、開口４３１は、流路２に接続されておらず、外部に空気を排出していたが、いずれかの流路２に接続されていてもよい。この場合、ペルチェ素子４２０によって冷やされた空気と暖められた空気とが、それぞれ異なる流路２を通って排出される。この構成によれば、例えば、着用者の首を冷やして背を温めるというように、着用者の身体の異なる部位の温度を調整することができる。
【００９９】
＜変形例８＞
上述実施形態において、送出部４０は、遠心式送風機であったが、空気を送出する機能を有する構成であれば他の機構であってもよい。例えば、送出部４０は、プロペラファン、斜流送風機、軸流送風機、ベーン軸流送風機、プレート軸流送風機、プロペラ送風機、横流送風機、渦流送風機等、各種の送風機であってもよい。また、送出部４０は、ターボ圧縮機、遠心圧縮機、斜流圧縮機、回転圧縮機、軸流圧縮機、二葉圧縮機、三葉圧縮機、スクリュー圧縮機、ベーン圧縮機、往復圧縮機、ピストン圧縮機、ダイヤフラム圧縮機等、各種の圧縮機であってもよい。
【０１００】
また、上述した実施形態において、ペルチェ素子４２０は、その金属面がｚ軸方向に交差、又は直交するように固定されていたが、ｚ軸方向に沿って固定されてもよい。
【０１０１】
＜変形例９＞
上述した実施形態において、開口４３０ａと開口４３０ｂは、ペルチェ素子４２０の面に沿って並べられていたが、ペルチェ素子４２０の法線方向に沿って並べられてもよい。
【０１０２】
＜変形例１０＞
上述した実施形態において衣服９は２つの流路２を有していたが、衣服９が有する流路２の数は１つであっても、３つ以上であってもよい。
【０１０３】
また、本発明は、衣服９と送出装置４とを含む機能服８としても観念される。例えば図１０に示す機能服８は、空気を送出する送出部４０、及び内部にペルチェ素子４２０が設けられ、送出された空気を開口４３０まで導く導風部４９、を有する送出装置４、並びに開口４３０に接続される吸入口２０と、排出口２９とが設けられ、空気を吸入口２０から吸入して排出口２９から排出する流路２が形成された衣服９、とを備えることを特徴とする機能服である。
【符号の説明】
【０１０４】
１…裏地、１１…上部裏地、１１１…接続部、１１９…縁部、１２…下部裏地、１２１…接続部、１３…中央裏地、２…流路、２ａ…流路、２ｂ…流路、２０…吸入口、２０ａ…吸入口、２０ｂ…吸入口、２１ａ…内布、２１ｂ…内布、２２９ａ…縁部、２２ａ…外布、２２ｂ…外布、２３ａ…面ファスナー、２３ｂ…面ファスナー、２９…排出口、２９ａ…排出口、２９ｂ…排出口、３…表地、３０…穴、３１…裾、４…送出装置、４０…送出部、４１…ディフューザー、４２…筒、４２０…ペルチェ素子、４３…マニホールド、４３０…開口、４３０ａ…開口、４３０ｂ…開口、４３１…開口、４９…導風部、８…機能服、９…衣服。
【図１】
2019070215.tif 000003
【図２】
2019070215.tif 000004
【図３】
2019070215.tif 000005
【図４】
2019070215.tif 000006
【図５】
2019070215.tif 000007
【図６】
2019070215.tif 000008
【図７】
2019070215.tif 000009
【図８】
2019070215.tif 000010
【図９】
2019070215.tif 000011
【図１０】
2019070215.tif 000012